(57)【特許請求の範囲】
【請求項１】
穀類容器などの重量物に着脱自在にとりつけられる垂直姿勢の昇降杆に、後部に係合作用枠を軸支した自在鉤作用をもつ昇降作用板を遊嵌するとともに、昇降杆の下部に連結アームを介して垂直姿勢で短尺の摺動パイプを設け、この摺動パイプを下端に車輪を設け、かつ、支持ピンが挿脱しうる穴を段設した長尺の脚杆に対して昇降可能に外嵌せしめ、該脚杆に自在鉤作用をもつロック板を遊嵌し、このロック板の下面と前記摺動パイプの上端との間に、このロック板を水平姿勢に付勢しようとするスパイラル発条を弾設し、ロック板の先端と前記連結アームとを連杆にて接続した昇降作動機構Ａと、
前記脚杆に挿嵌され、かつ脚杆の所定の穴に挿嵌した支持ピン上に係合する梃子作用支点枠の後部に長尺の操作レバーを設けるとともに、梃子作用支点枠の先端に前記昇降作用板の係合作用枠に係合し梃子力点作用をなすフック部材を設けた梃子作用機構Ｂとからなることを特徴とする重量物の昇降装置。
【請求項２】
前記梃子作用機構Ｂを構成する梃子作用支点枠の先端に、前記昇降作用板の係合作用枠を軸着連結するとともに、昇降作用板の先端に前記昇降杆に係脱自在とした缺円構造の昇降作用リングを設けたことを特徴とする請求項１記載の重量物の昇降装置。
【発明の詳細な説明】
【０００１】
【産業上の利用分野】
本発明は、例えば、穀類容器などの重量物を運搬車の荷台に積み降しする際に使用して好適な昇降装置に関する。
【０００２】
【従来技術とその課題】
図６に示すように、例えば、コンバインにより刈取りし脱穀調整された穀類を圃場において受取り収容する穀類容器を運搬車に搭載する作業、及び収穫が終って穀類容器を運搬車から荷降しして格納する作業は全て人力に頼っていた。この穀類容器を構成するホッパー型の容器本体には、収容した穀類を容器本体の下底部に設けたスクリュー移送体により排出口部に誘導し、誘導された穀類をオーガ，スロワーなどの搬送手段により穀類乾燥機などの処理機に移注するための駆動源が装備されていることから重量は１００ｋｇを超えており、これを運搬車に搭載又は荷降しする作業には多くの人手を要するという課題があった。たとえ、クレーン設備をもつ農家であっても、荷降した穀類容器を移動格納する作業は人手に頼らざるを得ないものであった。
【０００３】
本発明の目的は、穀類容器などの重量物を１人で運搬車などの荷台に搭載し、あるいは荷降しすることができ、大巾な省力化が図れる昇降装置を提供することにある。
【０００４】
【課題を解決するための手段】
従来技術の課題を解決する本発明の構成は、穀類容器などの重量物に着脱自在にとりつけられる垂直姿勢の昇降杆に、後部に係合作用枠を軸支した自在鉤作用をもつ昇降作用板を遊嵌するとともに、昇降杆の下部に連結アームを介して垂直姿勢で短尺の摺動パイプを設け、この摺動パイプを下端に車輪を設け、かつ、支持ピンが挿脱しうる穴を段設した長尺の脚杆に対して昇降可能に外嵌せしめ、該脚杆に自在鉤作用をもつロック板を遊嵌し、このロック板の下面と前記摺動パイプの上端との間に、このロック板を水平姿勢に付勢しようとするスパイラル発条を弾設し、ロック板の先端と前記連結アームとを連杆にて接続した昇降作動機構Ａと、前記脚杆に挿嵌され、かつ脚杆の所定の穴に挿嵌した支持ピン上に係合する梃子作用支点枠の後部に長尺の操作レバーを設けるとともに、梃子作用支点枠の先端に前記昇降作用板の係合作用枠に係合し梃子力点作用をなすフック部材を設けた梃子作用機構Ｂとからなること、および、前記梃子作用機構Ｂを構成する梃子作用支点枠の先端に、前記昇降作用板の係合作用枠を軸着連結するとともに、昇降作用板の先端に前記昇降杆に係脱自在とした缺円構造の昇降作用リングを設けたものである。
【０００５】
【実施例】
次に、図面について本発明実施例の詳細を説明する。
図１は、本発明装置の使用状態を示す一部切欠正面図、図２は昇降作用を示す要部の一部切欠正面図、図３は斜視図、図４は梃子機構を示す斜視図、図５は梃子機構の別実施例を示す斜視図、図６は荷積，荷降しを示す説明図である。
【０００６】
図１〜図４の実施例についてその詳細を説明する。Ｃは、水平枠杆１，垂直枠杆２を立方体構造に枠組みした枠体３の内側に、ホッパー構造の容器本体４を装着し、前記容器本体４の左右両側方に空間５を形成した穀類容器である。また、Ａは昇降作動機構であって、該昇降作動機構Ａは次のように構成されている。即ち、前記穀類容器Ｃを構成する左右の空間５に面する上方の水平枠杆１の前後部外側の四個所に、平面形状がＵ字形をした受枠６を夫々水平に設け、この受枠６内に垂直姿勢の昇降杆７の上端部を夫々挿嵌支持するとともに、該昇降杆７の下端に設けた挟着構造の固定金具８にて下方の水平枠杆１を挟着支持し、昇降杆７を枠体３に対して垂直に而も着脱可能に支着する。尚、昇降杆７の長さは上下の水平枠杆１間の距離に略等しいもので足りる。前記昇降杆７の下部に、これの長手軸線方向と直交した角筒構造の連結アーム９を介して垂直姿勢で短尺の摺動パイプ１０をとりつける。尚、昇降杆７と摺動パイプ１０の軸線は平行である。
【０００７】
前記各昇降杆７に、後部に係合作用枠１１を軸支した自在鉤作用をもつ昇降作用板１２を遊嵌、詳しくは、昇降杆７の周面に係合，離脱する比較的径大の作用孔１３を昇降作用板１２に設け、この作用孔１３に前記昇降杆７を遊嵌したものである。一方、前記摺動パイプ１０に下端に転輪１４を設けた長尺のパイプ構造よりなる脚杆１５を挿嵌するとともに、該脚杆１５に支持ピン１６が挿脱しうる複数の穴１７を段設する。更に、前記脚杆１５に自在鉤作用をもつロック板１８を遊嵌、即ち、脚杆１５の周面に係合，離脱する比較的径大の作用孔１９をロック板１８に設け、この作用孔１９に脚杆１５を遊嵌せしめたものである。そして、ロック板１８の下面と前記摺動パイプ１０の上端との間に、ロック板１８を水平姿勢に付勢しようとするスパイラル発条２０を弾設するとともに、ロック板１８の先端と前記連結アーム９とを連杆２１にて接続したものである。昇降作動機構Ａは上述のように構成されている。
【０００８】
Ｂは梃子作用機構で、この梃子作用機構Ｂは次のように構成されている。即ち、前記脚杆１５に挿嵌され、かつ、脚杆１５の穴１７に挿嵌した支持ピン１６上に係合する凹部２２をもつ梃子作用支点枠２３の後部に長尺の操作レバー２４を設け、梃子作用支点枠２３の先端に前記昇降作用板１２の係合作用枠１１に下方から係合し、梃子力点作用をなすフック部材２５を設けたもので、梃子作用機構Ｂは上述のように構成されている。
【０００９】
【作用の説明】
図６に示すように、穀類容器Ｃを運搬車の荷台に搭載する作用について説明する。架台（図示略）上に載置されている穀類容器Ｃの左右側及び前後四個所の水平枠杆１間に夫々昇降作動機構Ａの昇降杆７をとりつける。次に、所望の脚杆１５の上方から梃子作用機構Ｂの梃子作用支点枠２３を挿嵌し、所定の穴１７に挿通した支持ピン１６の上部に梃子作用支点枠２３の凹部２２を係合するとともに、フック部材２５を昇降杆７に挿嵌した昇降作用板１２の係合作用枠１１を図１，図２に示すように係合させる。そして操作レバー２４を上方に回動すると、昇降作用板１２はフリーとなって略水平に姿勢が変化し、作用孔１３が昇降杆７に対してフリーとなり昇降作用板１２は下降する。
この状態で操作レバー２４を図２の仮想線で示すように下向きに回動すると、昇降作用板１２は傾斜し作用孔１３の縁部が昇降杆７に係合して昇降杆７を上昇付勢する。この動きと同時に、連結アーム９を介して昇降杆７に連結されている摺動パイプ１０も脚杆１５に対してスライド上昇する。このスライド上昇作用が連杆２１を介してロック板１８の先端を上向きに回動するとともに、スパイラル発条２０の弾性によりロック板１８は水平姿勢となり、ロック板１８の作用孔１９が脚杆１５に対してフリーとなることから、ロック板１８は昇降杆７の上昇と共に移動し、昇降杆７を図２の仮想線で示すように一定ストローク上昇させる。そして支持ピン１６を順次上段の穴１７に移し換えながら上述の操作を四本の昇降杆７に対して交互に行い図６に示す位置まで穀類装置Ｃを扛上したのち、運搬車の荷台まで脚杆１５の転輪１４を利用して運行し、穀類容器Ｃの一端を荷台に載せたら先行の昇降作動機構Ａを取り外し、穀類容器Ｃを荷台上に押し込み搭載し、後行の昇降作動機構Ａを取り外すことにより搭載作業は終る。
【００１０】
次に、収穫作業が終り穀類容器Ｃを運搬車の荷台から荷降しする作業について説明する。前述とは逆に荷台上の穀類容器Ｃを人手によって後方に引き出し、穀類装置Ｃの左右に昇降作動機構Ａをとりつけ、脚杆１５の転輪１４を利用して穀類容器Ｃを更に引き出して残りの昇降作動機構Ａをとりつけ、穀類容器Ｃの荷重を四組の昇降作動機構Ａに預けたのち、この穀類容器Ｃを格納場所まで移動させる。そして所望の脚杆１５の上方から梃子作用機構Ｂの梃子作用支点枠２３を挿嵌し所定の穴１７に挿通した支持ピン１６の上部に梃子作用支点枠２３の凹部２２を係合させるとともに、フック部材２５を昇降作用板１２の係合作用枠１１に係合させる。
そして前記とは逆に操作レバー２４を上向きに回動させると昇降作用板１２は水平姿勢に変化し作用孔１３は昇降杆７に対してフリーとなり、昇降杆７は穀類容器Ｃの重量により自然に下降しようとする。しかし、ロック板１８が傾斜姿勢にありこれの作用孔１９が脚杆１５の周面に係合しているため昇降杆７は下降が阻止される。そこで作業者が手動によりロック板１８の後端を上方から下向きに押動すると、ロック板１８はスパイラル発条２０に抗して水平姿勢となり、作用孔１９と脚杆１５との係合関係が解かれて昇降杆７は一定ストローク下降する。昇降杆７が一定ストローク下降する作用によって昇降作用板１２が図２の実線で示すように傾斜し、作用孔１３が昇降杆７に係合した時点でこの昇降杆７、つまり穀類容器Ｃの下降は停止される。そして、支持ピン１６を順次下段の穴１７に移し換えながら上述の操作を四本の昇降杆７に対して交互に行い穀類装置Ｃを架台上に降下載置し、全ての昇降作動機構Ａを穀類容器Ｃからとり外して格納作業は終る。
【００１１】
図５は梃子作用機構Ｂの別実施例を示しており、梃子作用支点枠２２の先端に昇降作用板１２の係合作用枠１１を軸着連結するとともに、昇降作用板１２の先端に前記昇降杆７の周面に係脱可能で、かつ、側部を開口した缺円構造の昇降作用リング２６を設けたものである。この実施例は昇降作用リング２６が前記作用孔１３の役割を果しており、又各昇降杆７に昇降作用板１２を設置する必要をなくしたもので、作用は前記実施例と同様である。
【００１２】
【発明の効果】
上述のように本発明の構成によれば、次のような効果が得られる。
（ａ）上述した本願発明の構成及び作用に示したように、穀類容器などの重量物を１人の作業者により運搬車などの荷台に搭載し、又は荷降しすることができ、大巾な省力化が図れる。
（ｂ）自在鉤作用をもつ昇降作用板とロック板とを、梃子作用により夫々逆に作用することにより容易に重量物の昇降が容易かつ迅速になし得られ、その構成も容易である。
【図面の簡単な説明】
【図１】本発明装置の使用状態を示す一部切欠正面図である。
【図２】昇降作用を示す要部の一部切欠正面図である。
【図３】斜視図である。
【図４】梃子機構を示す斜視図である。
【図５】梃子機構の別実施例を示す斜視図である。
【図６】荷積，荷降しを示す説明図である。
【符号の説明】
Ａ  昇降作動機構
Ｂ  梃子作用機構
Ｃ  穀類容器
１  水平枠杆
２  垂直枠杆
３  枠体
４  容器本体
５  空間
６  受枠
７  昇降杆
８  固定金具
９  連結アーム
１０  摺動パイプ
１１  係合作用枠
１２  昇降作用板
１３  作用孔
１４  転輪
１５  脚杆
１６  支持ピン
１７  穴
１８  ロック板
１９  作用孔
２０  スパイラル発条
２１  連杆
２２  凹部
２３  梃子作用支点枠
２４  操作レバー
２５  フック部材
２６  昇降作用リング
【図１】
0003616664.tif 000002
【図２】
0003616664.tif 000003
【図３】
0003616664.tif 000004
【図４】
0003616664.tif 000005
【図５】
0003616664.tif 000006
【図６】
0003616664.tif 000007